(57)【要約】【課題】構造が簡単で、台盤の所定位置に、キャスターを簡便に且つ強固に取り付けることができる台車を提供する。【解決手段】台盤１の底部に設けた取付部１０に、キャスター２の座板３が挿入され取り付けられる。取付部１０には、キャスターの座板を密に収容する座板用凹部１１が下方に開口して設けられる。座板用凹部の縁部に、座板の一辺部を下側から覆う支持壁部１２が設けられ、座板用凹部に隣接して固定部材用凹部１３が設けられる。固定部材３０が固定部材用凹部１３内に挿入されて摺動可能に設けられ、固定部材３０の固定部材用凹部側に、座板の縁部を押圧する押圧部３３，３４が設けられる。押圧部には、座板の縁部を保持する、座板の板厚と略同じ厚さの板状凹部３３ａ，３４ａが設けられる。【選択図】図１
2020015449.tif 000002
【特許請求の範囲】
【請求項１】
台盤の底部に設けた取付部に、キャスターの座板が挿入され取り付けられる台車において、
該取付部には、該キャスターの該座板を密に収容する座板用凹部が下方に開口して設けられ、該座板用凹部の縁部に、該座板の一辺部を下側から覆う支持壁部が設けられ、該座板用凹部に隣接して固定部材用凹部が設けられ、
固定部材が該固定部材用凹部内に挿入されて摺動可能に設けられ、該固定部材の該固定部材用凹部側に、該座板の縁部を押圧する押圧部が設けられ、該押圧部には、該座板の縁部を保持する、該座板の板厚と略同じ厚さの板状凹部が設けられ、
該座板用凹部に向けて該固定部材を摺動させるための摺動面が、該固定部材用凹部に設けられ、該座板用凹部と該固定部材用凹部との間に、該座板の縁部を支持する支持凸部が該座板の板厚と略同じ高さで設けられ、
該支持凸部の近傍に、該固定部材用凹部を下側から覆うように門形枠部が設けられ、該門形枠部の内側に、該固定部材の表面が摺接する内側摺接面が設けられ、該固定部材には、弾性変形可能な係止爪が設けられるとともに、該係止爪と反対側の端部に当接壁部が設けられ、該固定部材が該固定部材用凹部内を該座板用凹部側に摺動端まで摺動したとき、該係止爪が該門形枠部の該キャスター側に係止されるとともに、該当接壁部が該門形枠部の該固定部材用凹部側に当接するように構成され、
該固定部材が該摺動端まで摺動したとき、該固定部材の該押圧部が、該支持凸部を越えて該座板用凹部内に進入し、該座板の縁部を押圧保持することを特徴とする台車。
【請求項２】
前記固定部材用凹部内の摺動面は、前記固定部材の摺動方向に沿って設けた複数のリブ上に形成されたことを特徴とする請求項１記載の台車。
【請求項３】
前記支持壁部は、座板用凹部の端部を下側から覆うように前記取付部に形成されたことを特徴とする請求項１記載の台車。
【請求項４】
前記固定部材の前記係止爪は、該固定部材の本体の中央に、該座板用凹部側に向けて弾性変形可能に設けられ、該係止爪の両側に隙間を介して前記押圧部が設けたことを特徴とする請求項１記載の台車。
【請求項５】
前記取付部の前記座板用凹部は、前記キャスターの座板を密に収容するように、平面を方形とし、周囲を前記支持凸部を含む壁部で形成されたことを特徴とする請求項１記載の台車。
【発明の詳細な説明】
【技術分野】
【０００１】
本発明は、各種店舗、バックヤード、流通センターなどで使用される台車に関し、特にキャスターの着脱を簡便に行うことができる台車に関する。
【背景技術】
【０００２】
各種店舗、バックヤード、流通センターなどで、キャスター付の台車が広く使用されている。台車は、板状の台盤を有し、台盤の底部４箇所に、キャスターが取り付けられる。キャスターには、取り付け用の座板が設けられ、キャスターは、通常、座板に設けた４個のネジ孔に、各々、固定ネジを挿入して、キャスターを台盤の底部に固定される。
【０００３】
然るに、キャスターを台盤に取り付ける場合、４個のキャスターに対し、各々、４本の固定ネジを挿入し、ドライバで捻じ込んで固定する必要があり、合計１６本の固定ネジの締め付け作業が必要となり、取り付け作業が煩雑化していた。また、キャスターを交換する場合においても、同様なキャスターの固定ネジの取り外しと取り付け作業に手間と時間がかかる課題があった。
【０００４】
そこで、下記特許文献１などにおいて、固定ネジを使用せずに、キャスターの座板を、台盤に対し固定する構造の台車が提案されている。
【先行技術文献】
【特許文献】
【０００５】
【特許文献１】特許第４３２５９３６号公報
【発明の概要】
【発明が解決しようとする課題】
【０００６】
この従来の台車は、台車の底部に、キャスターの座板を、水平方向から挿入するための挿入部が設けられ、挿入部の両側縁部には、挿入された座板の縁部を下側から支持する支持壁が両側に設けられる。さらに、挿入部には、キャスターの座板を水平方向から定位置まで挿入したとき、座板の縁部に係止部を当接させてロックするロックアームが、弾性変形可能に設けられる。
【０００７】
キャスターの座板を挿入部に挿入した状態で、挿入部の上部には空間が形成され、この空間に、箱状のリテーナが水平方向から挿入され、リテーナの挿入によりロックアームをロック位置に固定し、キャスターの座板を挿入部に固定する。リテーナの両側には、弾性変形可能な係止爪が設けられ、リテーナを定位置に差し込んだ状態で、係止爪が台盤の係止穴に係止される。
【０００８】
キャスターを台盤に固定する場合、キャスターの座板を挿入部の定位置に挿入し、ロックアームの係止部を座板の縁部に係止させた状態で、挿入部の空間に、リテーナを差し込み、これによって、ロックアームの係止状態を保持して、キャスターの座板を固定する。
【０００９】
然るに、この従来の台車は、ロックアームが弾性変形可能に、台盤側に設けられるとともに、リテーナの両側にも弾性変形可能な係止爪を設ける必要があり、構造が複雑化して、キャスターの着脱作業に手間がかかりやすい。また、キャスターの座板の両側縁部が、挿入部の両側部に水平に突設された保持部により、保持されるものの、座板の前後の縁部は、ロックアームの係止部に係止されるのみであるので、台車が長期使用された場合、ガタツキが生じする虞があった。
【００１０】
本発明は、上述の課題を解決するものであり、構造が簡単で、台盤の所定位置にキャスターを、簡便に且つ強固に取り付けることができる台車を提供することを目的とする。
【課題を解決するための手段】
【００１１】
本発明に係る台車は、台盤の底部に設けた取付部に、キャスターの座板が挿入され取り付けられる台車において、
該取付部には、該キャスターの該座板を密に収容する座板用凹部が下方に開口して設けられ、該座板用凹部の縁部に、該座板の一辺部を下側から覆う支持壁部が設けられ、該座板用凹部に隣接して固定部材用凹部が設けられ、
固定部材が該固定部材用凹部内に挿入されて摺動可能に設けられ、該固定部材の該固定部材用凹部側に、該座板の縁部を押圧する押圧部が設けられ、該押圧部には、該座板の縁部を保持する、該座板の板厚と略同じ厚さの板状凹部が設けられ、
該座板用凹部に向けて該固定部材を摺動させるための摺動面が、該固定部材用凹部に設けられ、該座板用凹部と該固定部材用凹部との間に、該座板の縁部を支持する支持凸部が該座板の板厚と略同じ高さで設けられ、
該支持凸部の近傍に、該固定部材用凹部を下側から覆うように門形枠部が設けられ、該門形枠部の内側に、該固定部材の表面が摺接する内側摺接面が設けられ、該固定部材には、弾性変形可能な係止爪が設けられるとともに、該係止爪と反対側の端部に当接壁部が設けられ、該固定部材が該固定部材用凹部内を該座板用凹部側に摺動端まで摺動したとき、該係止爪が該門形枠部の該キャスター側に係止されるとともに、該当接壁部が該門形枠部の該固定部材用凹部側に当接するように構成され、
該固定部材が該摺動端まで摺動したとき、該固定部材の該押圧部が、該支持凸部を越えて該座板用凹部内に進入し、該座板の縁部を押圧保持することを特徴とする。
【００１２】
この発明の台車によれば、１個の係止爪を有する固定部材を、固定部材用凹部から門形枠部内を通り、座板用凹部内に差し込むのみの簡単な作業で、キャスターの座板を、台盤の取付部内に、簡単に且つ強固に取り付けることができ、取付部や固定部材の構造は簡単化することができる。さらに、キャスターの修理や交換の際、キャスターを台盤から取り外す際、１個の係止爪を弾性変形させながら、係止を解除した状態で、固定部材を固定部材用凹部側に摺動させれば、キャスターの座板を座板用凹部から容易に取り外すことができる。
【００１３】
ここで、上記固定部材用凹部内の摺動面は、摺動方向に沿って設けた複数のリブ上に形成することができる。
【００１４】
またここで、上記支持壁部は、座板用凹部の端部を下側から覆うように形成することができる。
【００１５】
またここで、上記固定部材の該係止爪は、固定部材の本体の中央に、該座板用凹部側を向けて弾性変形可能に設けられ、該係止爪の両側に、隙間を介して該押圧部を設けた構成とすることができる。
【００１６】
またここで、上記取付部の前記座板用凹部は、キャスターの座板を密に収容するように、平面を方形とし、周囲を上記支持凸部を含む壁部で形成することができる。
【発明の効果】
【００１７】
この発明の台車によれば、構造が簡単で、台盤の所定位置にキャスターを、簡便に且つ強固に取り付けることができる。
【図面の簡単な説明】
【００１８】
【図１】本発明の一実施形態を示す台車の正面図である。
【図２】同台車の平面図である。
【図３】同台車の右側面図である。
【図４】同台車の斜視図である。
【図５】同台車の下側から見た斜視図である。
【図６】複数の台車を積み重ねた（スタッキング）状態の正面図である。
【図７】台盤の底面図である。
【図８】図７のＡ部の拡大底面図である。
【図９】キャスターと固定部材を外した状態の分解斜視図である。
【図１０】図８のX-X断面図である。
【図１１】図８のXI-XI断面図である。
【図１２】（ａ）は固定部材の正面図、（ｂ）は固定部材の平面図、（ｃ）は固定部材の底面図、（ｄ）は固定部材の右側面図、（ｅ）は固定部材の左側面図である。
【図１３】（ａ）は底面側からみた固定部材の斜視図、（ｂ）はそのＢ−Ｂ断面図、（ｃ）はそのＣ−Ｃ断面図である。
【図１４】キャスターを取り付けた取付部の拡大断面図である。
【図１５】キャスターの取付部の拡大底面図である。
【図１６】キャスターを取付部に取り付けるときの拡大断面図である。
【図１７】キャスターを取付部に取り付けるときの拡大断面図である。
【図１８】キャスターを取付部に取り付けるときの拡大底面図である。
【発明を実施するための形態】
【００１９】
以下、本発明の一実施形態を図面に基づいて説明する。本発明の台車は、図１〜図５に示すように、平板状の台盤１の底部に設けた取付部１０に、キャスター２が取り付けられて構成される。
【００２０】
取付部１０は、台盤１の底部の４箇所に設けられ、各取付部１０に、キャスター２の座板３が挿入され、固定部材３０によって、取り付けられる。ここでは、４箇所のうち、１箇所の取付部１０の構造について説明するが、他の取付部１０も同様な構成である。キャスター２は、座板３に対し、ホーク部及び車輪が自在に旋回する自在キャスターであるが、旋回しない固定キャスターであってもよい。なお、台盤１の内側には、図５に示すように、縦横に枠状の多数のリブが立設され、内部空間が仕切られることにより、台盤１に必要な強度が確保され、軽量化が図られている。
【００２１】
台盤１の底部に設けた取付部１０には、図７〜９に示す如く、キャスター２の座板３を密に収容する、長方形状の座板用凹部１１が、下方に開口して設けられる。取付部１０の座板用凹部１１は、図７などに示す如く、キャスター２の座板３を密に収容するように、平面を長方形とし、周囲を支持凸部１４を含む壁部１６で囲って形成される。座板用凹部１１の縁部には、座板３の一辺部を下側から覆う支持壁部１２が底部側に設けられ、座板３の先端部がこの支持壁部１２の内側に挿入される。図８に示すように、支持壁部１２は、円弧状の縁部を有した形状に形成される。図１６のように、支持凸部１４の高さｔはキャスター２の座板３の厚さｔと略同じに形成される。
【００２２】
支持壁部１２の反対側の、座板用凹部１１に隣接した位置に、固定部材用凹部１３が、延設される形態で設けられる。固定部材用凹部１３は、キャスター２の座板３を固定する固定部材３０を挿入する箇所として形成され、下側に向けて開口し、座板用凹部１１と同じ幅を有して、形成される。座板用凹部１１の両側に設けた壁部１６は、座板用凹部１１から固定部材用凹部１３まで延設され、両側の壁部１６の間を、固定部材３０が固定部材用凹部１３から座板用凹部１１まで摺動可能に形成される。
【００２３】
固定部材用凹部１３内には、図１２に示す固定部材３０が挿入され、固定部材３０は、固定部材用凹部１３から座板用凹部１１内まで摺動し、キャスター２の座板３の一方の縁部を下から保持して座板３を固定する。上記の如く、座板用凹部１１の両側に設けた壁部１６は、座板用凹部１１から固定部材用凹部１３まで延設され、両側の壁部１６の間を、固定部材３０が摺動する。
【００２４】
図１０、図１１に示すように、固定部材用凹部１３内には、複数のリブ１５が固定部材３０の摺動方向に沿って設けられ、各リブ１５の上に、摺動面１５ａが形成される。固定部材３０は、この摺動面１５ａに摺接して、固定部材用凹部１３内を、座板用凹部１１に向けて摺動可能とされる。
【００２５】
座板用凹部１１と固定部材用凹部１３の間には、支持凸部１４が、所定の高さをもって、台盤１内から立ち上がるように、設けられる。この支持凸部１４の内側には、キャスター２の座板３の他方の縁部が当接し、そこに座板３が保持されるように構成される。支持凸部１４の高さは、リブ１５の摺動面１５ａより、略座板３の厚さ分だけ高く形成される。
【００２６】
キャスター２の座板３を固定する固定部材３０は、図１２、１３に示す如く、略直方体形状の本体３１の中央部に、弾性変形可能な係止爪３２が隙間を介して設けられ、隙間を介した係止爪３２の両側に、押圧部３３，３４が突き出すように形成される。押圧部３３，３４には、座板３の縁部を保持するために、座板３の板厚ｔと略同じ厚さｔの板状凹部３３ａ，３４ａが設けられる（図１６）。
【００２７】
すなわち、図１６に示す如く、支持凸部１４の高さｔは、キャスター２の座板３の厚さｔ、及び固定部材３０の押圧部３３，３４の内側に設けた、板状凹部３３ａ，３４ａの厚さｔと略同じ寸法に形成される。これにより、固定部材３０を、固定部材用凹部１３から座板用凹部１１内に摺動させたとき、固定部材３０の押圧部３３，３４の板状凹部３３ａ，３４ａで、キャスター２の座板３を確実に押圧して保持することができるようになっている。
【００２８】
図８，１６に示す如く、取付部１０には、支持凸部１４の近傍に、固定部材用凹部１３を下側から覆うように門形枠部２０が設けられる。門形枠部２０の内側に、固定部材３０の表面が摺接する内側摺接面２１が設けられる。
【００２９】
一方、固定部材３０は、図１２、１３に示す如く、略直方体形状の本体３１の中央部に、弾性変形可能な係止爪３２が隙間を介して設けられるとともに、隙間を介した係止爪３２の両側に、押圧部３３，３４が突き出すように形成されている。係止爪３２は、図１２に示す如く、先端側に向けて厚さが薄くなるように傾斜面３２ａを有し、その後部側に垂直面３２ｂが形成される。また、係止爪３２と反対側の本体３１の端部に、当接壁部３５が下側に突設され、固定部材３０が固定部材用凹部１３内を座板用凹部１１側に摺動端まで摺動したとき、係止爪３２が門形枠部２０のキャスター側に係止されるとともに、当接壁部３５が門形枠部２０の固定部材用凹部１３側に当接するようになっている。
【００３０】
固定部材３０の先端側つまり座板用凹部１１側に、座板３の縁部を押圧して保持する押圧部３３，３４が設けられ、押圧部３３，３４には、上記のように、座板３の縁部を保持する、図１６に示す如く、座板３の板厚ｔと略同じ厚さｔの板状凹部３３ａ，３４ａが設けられている。
【００３１】
また、図１３に示す如く、固定部材用凹部１３内から座板用凹部１１に向けて固定部材３０を摺動させるための摺動面１５ａが、固定部材用凹部１３内のリブ１５上に設けられる。さらに、座板用凹部１１と固定部材用凹部１３との間に、座板３の縁部を支持する支持凸部１４が座板３の板厚ｔと略同じ高さで設けられる。これにより、固定部材３０が、固定部材用凹部１３内を座板用凹部１１側に摺動し、門形枠部２０内を通り、その摺動端まで摺動したとき、固定部材３０の押圧部３３，３４が、支持凸部１４を越えて座板用凹部内１１に進入し、座板３の縁部を押圧保持する。
【００３２】
また、このとき、固定部材３０に設けた係止爪３２が門形枠部２０の縁部に係止され、固定部材３０の縁部の当接壁部３５が門形枠部２０の反対側の縁部に係止される構造となっている。さらに、図１３に示すように、固定部材３０の上面（使用時には図１６のように底面となる）に、複数のリブ３１ａが摺動方向に沿って設けられ、固定部材３０の摺動操作時、門形枠部２０の内側面に摺接する際、複数のリブ３１ａが門形枠部２０の内側面に摺接し、摺動抵抗を少なくしている。
【００３３】
上記構成の取付部１０と門形枠部２０を含む台盤１及び固定部材３０は、合成樹脂により各々、一体成形することができるが、他の材料により成形することもできる。なお、図６に示すように、複数の台車は、積み重ねてスタッキング可能な構造とされ、収納時の省スペース化が図られている。
【００３４】
次に、台盤１の各取付部１０に、キャスター２を取り付ける際の取付方法を説明すると、先ず、図１６〜図１８に示す如く、キャスター２の座板３を、取付部１０の座板用凹部１１内に挿入する。図１６，１７では、取付部１０を底面とする図で示しているが、取付作業を実際に行う場合、取付部１０を上面として作業をする。
【００３５】
取付部１０の上面（図の底面）は、大きく開口しているので、ユーザーや作業者は座板３を容易に取付部１０の座板用凹部１１内に挿入することができ、座板３の寸法に合わせて形成された座板用凹部１１内に、キャスター２の座板３は、殆どガタツキを生じずに、密に挿入することができる。またこのとき、座板３の一方の縁部は、図１７、１８に示すように、座板用凹部１１内の支持壁部１２内に挿入され、保持される。
【００３６】
次に、固定部材３０を、取付部１０の固定部材用凹部１３内に、その押圧部３３，３４を座板用凹部１１に向けて挿入する。そして、図１６〜図１８に示すように、固定部材３０を固定部材用凹部１３内で摺動させながら、座板用凹部１１に向けて移動させ、座板用凹部１１内に差し込むように操作する。
【００３７】
このとき、図１７に示すように、固定部材３０の係止爪３２の傾斜面３２ａが、門形枠部２０の内側摺接面２１に接触し、係止爪３２が内側に撓みながら、固定部材３０が門形枠部２０を通過する。そして、係止爪３２の垂直面３２ｂが門形枠部２０の縁部を通過したとき、係止爪３２が復帰し、垂直面３２ｂが門形枠部２０の縁部に係止され、且つ固定部材３０の当接壁部３５が門形枠部２０の他方の縁部に係止される。
【００３８】
この状態で、図１４，１５に示すように、固定部材３０の押圧部３３，３４が座板３の一方の両側縁部を底面から押圧するように保持し、係止爪３２により固定部材３０の位置が固定され、キャスター２が座板用凹部１１内に固定され、取り付けられる。キャスター２の座板３は、支持壁部１２、壁部１６、支持凸部１４及び固定部材３０の押圧部３３，３４により、座板用凹部１１内に強固に取り付けられた状態となる。
【００３９】
なお、キャスター２を取り外す場合、固定部材３０の１個の係止爪３２を、ドライバなどで撓ませながら、係止を外した状態で、固定部材３０を固定部材用凹部１３側に移動させればよいので、楽にキャスター２を取り外すことができる。
【００４０】
このように、１個の係止爪３２を有する固定部材３０を、固定部材用凹部１３から門形枠部２０内を通り、座板用凹部１１内に差し込むのみの簡単な作業で、キャスター２の座板３を、台盤１の取付部１０内に、簡単に且つ強固に取り付けることができ、取付部１０や固定部材３０の構造は簡単化することができる。さらに、キャスター２の修理や交換の際、キャスター２を台盤１から取り外す際、１個の係止爪３２を弾性変形させながら、係止を解除した状態で、固定部材３０を固定部材用凹部１３側に摺動させれば、キャスター２の座板３を座板用凹部１１から容易に取り外すことができる。
【符号の説明】
【００４１】
１      台盤
２      キャスター
３      座板
４      底部
１０    取付部
１１    座板用凹部
１２    支持壁部
１３    固定部材用凹部
１４    支持凸部
１５    リブ
１５ａ  摺動面
１６    壁部
２０    門形枠部
２１    内側摺接面
３０    固定部材
３１    本体
３１ａ  リブ
３２    係止爪
３２ａ  傾斜面
３２ｂ  垂直面
３３    押圧部
３３ａ  板状凹部
３５    当接壁部
【図１】
2020015449.tif 000003
【図２】
2020015449.tif 000004
【図３】
2020015449.tif 000005
【図４】
2020015449.tif 000006
【図５】
2020015449.tif 000007
【図６】
2020015449.tif 000008
【図７】
2020015449.tif 000009
【図８】
2020015449.tif 000010
【図９】
2020015449.tif 000011
【図１０】
2020015449.tif 000012
【図１１】
2020015449.tif 000013
【図１２】
2020015449.tif 000014
【図１３】
2020015449.tif 000015
【図１４】
2020015449.tif 000016
【図１５】
2020015449.tif 000017
【図１６】
2020015449.tif 000018
【図１７】
2020015449.tif 000019
【図１８】
2020015449.tif 000020